(57)【要約】【課題】水を与えることで外部に浮上し、種子や球根からの発芽から観賞可能な開花（生育）に至り、なおかつ、開花が終わるまでの間、継続的に楽しむことができる浮上体を収容している栽培セット用として特に有効な容器を提供する。【解決手段】上面部に開口可能な上蓋４を有する容器本体１内に、粒状充填物２である土壌２−１、この土壌２−１の中に没入される浮上体３および植え付けられる球根ｂを収容し、浮上体３は、通水孔９を有する多孔容器３−１、この多孔容器３−１に装着される浮上部材３−２、この浮上部材３−２の下端側と多孔容器３−１の内底部との間に収容される水吸収膨張剤３−３とを備え、さらに、浮上部材３−２の上端側に、浮上部材３−２とともに土壌２−１の中に没入され、水吸収膨張剤３−３が膨張したときに、容器本体１の上面開口部７から外部に浮上されるキャラクタなどからなる浮上子８が備えられている。【選択図】図１
0003141614.tif 000002
【実用新案登録請求の範囲】
【請求項１】
上面部が開口または開口可能な上蓋を有する容器本体内に、粒状充填物と、この粒状充填物の中に没入される浮上体と、を収容してなる容器であって、
前記浮上体は、通水孔を有する多孔容器と、
この多孔容器に上昇動可能に装着される浮上部材と、
この浮上部材の下端側と前記多孔容器の内底部との間に収容される水吸収膨張剤と、を備え、
さらに、前記浮上部材の上端側には、該浮上部材とともに前記粒状充填物の中に没入され、前記水吸収膨張剤が膨張したときに、前記容器本体の上面開口部から外部に浮上される浮上子が備えられていることを特徴とする容器。
【請求項２】
前記水吸収膨張剤が、粒状の高分子吸収剤であることを特徴とする請求項１に記載の容器。
【請求項３】
前記浮上部材は、前記多孔容器の上壁面に内外貫通状で上昇動可能に取り付けられる浮上軸部と、
この浮上軸部の下端側に備えられて前記水吸収膨張剤が膨張したときに、その膨張力を面で受ける受圧板と、を備えていることを特徴とする請求項１または請求項２に記載の容器。
【請求項４】
前記粒状充填物が、土壌であり、この土壌の中に球根類などが植え付けられていることを特徴とする請求項１から請求項３のいずれか１項に記載の容器。
【考案の詳細な説明】
【技術分野】
【０００１】
本考案は、容器に係り、例えば、チューリップなどの球根類、そして花類、観賞植物、野菜、ハーブ類などの栽培セット用として、或いは贈り手へのメッセージ用などとして使用される容器に関する。
【背景技術】
【０００２】
例えば、栽培セットとしては、特許文献１に開示されているものが知られている。
この栽培セットは、メッセージ入りマメ科の種子の栽培に使用されるものであり、マメ科の種子の表面に、種子を損傷することなくレーザー光線を照射することによって文字および図案などを刻印し、この種子を、開封可能な容器内に詰め込まれているバーミキュライトの中に植え付けた構成としている。
これにより、容器の上面部を開封して栽培することにより、マメ科の種子が直接のメッセージ伝達媒体とするものである。
【０００３】
このように構成されている従来の栽培セットでは、観賞用としては勿論、直接の伝達媒体となるマメ科の種子に刻まれた多様なメッセージを発進することができるようになっている。
例えば、贈り物相手へのメッセージとして「Ｉ ｌｏｖｅ ｙｏｕ」、「Ｈａｐｐｙ Ｂｉｒｔｈｄａｙ」、「ハートのマーク」、そして社名などの宣伝メッセージとして伝達できる栽培セットの斬新性は、広告宣伝効果を求められるノベルティグッズや贈り手の気持ちが送られる人に優しく、かつ、確実に伝えることのできる各種プレゼントに活用することができるなどの利点を有している。
【特許文献１】実用新案登録第３１０８２８６号
【考案の開示】
【考案が解決しようとする課題】
【０００４】
ところで、マメ科の種子やチューリップ、ユリ、水仙などの球根が発芽するまでには数日から数週間かかる。
例えば、チューリップの場合では、発芽し、なおかつ、開花に至るまでには数週間かかるために、その間は観賞することは望めないでいる。
そのため、例えば、小さな子供がいる一般家庭などにおいては、水を与えてもなかなか芽が出ないことに苛立つ子供が、好奇心などから球根が植え付けられている土壌を掘り起こしてしまうことがあった。
【０００５】
そこで、本考案は、前記課題を解消するために創案されたものであり、水を与えることで外部に浮上し、それ自体が観賞用となり、球根からの発芽から観賞可能な開花（生育）に至り、なおかつ、開花が終わるまでの間、継続的に楽しむことができる浮上体を収容している栽培セット用として特に有効な容器を提供することにある。
また、本考案の他の目的としては、各企業（各種団体を含む）やイベントの広告宣伝、或いは贈り手に対するメッセージ媒体としても活用できる容器を提供することにある。
【課題を解決するための手段】
【０００６】
前記課題を解決するために、本考案では、上面部が開口または開口可能な上蓋を有する容器本体内に、粒状充填物と、この粒状充填物の中に没入される浮上体と、を収容してなる容器であって、
前記浮上体は、通水孔を有する多孔容器と、この多孔容器に内外貫通状で上昇動可能に装着される浮上部材と、この浮上部材の下端側と前記多孔容器の内底部との間に収容される水吸収膨張剤と、を備え、さらに、前記浮上部材の上端側には、該浮上部材とともに前記粒状充填物の中に没入され、前記水吸収膨張剤が膨張したときに、前記容器本体の上面開口部から外部に浮上される浮上子が備えられていることを特徴とする。
ここで、前記容器本体は、その材質や形態などにおいては特に限定されるものではないが、例えば、スチール製、アルミ製などの缶タイプ、或いはプラスチック製、ガラス製、陶器製、セラミック製、木製、石製などの壺タイプを挙げることができる。
また、前記容器本体は、上面部が上蓋によって開口可能とするとときには缶切りなどで開口可能なもの、或いは摘み（プルトップ）を起こして切り離して開口可能なものなどのいずれでもよい。
また、前記粒状充填物としては、浸透性（通水性）を有する粒状物であれば特に限定されるものではない。例えば、川砂や海砂などの砂類、或いはプラスチックやガラスなどからなるビーズその他の人造粒状物でもよい。
さらに、前記浮上子としては、例えば、犬や猫その他のキャラクタ、そして各企業（各種団体を含む）やイベントなどの広告宣伝、或いは贈り手に対するメッセージ（ありがとう、おめでとう、愛しているなど）が書かれている小さな看板、さらには神社や仏閣のお土産で大吉、中吉などと表示されている小さな表示板などを挙げることができる。
【０００７】
このような構成によれば、容器本体内に注ぎ込まれた水が、粒状充填物に浸透し、粒状充填物の中に没入されている浮上体の多孔容器内に流入されることにより、該多孔容器内の水吸収膨張剤が膨張する。
これにより、多孔容器内に内在されている浮上部材の下端側が水吸収膨張剤の膨張に伴って押され、浮上部材は粒状充填物の表面、そして容器本体の上面開口部から外部に押し上げ浮上される。すると、浮上部材の上端側に備えられている浮上子が外部に浮上される。
例えば、容器本体内に水を注ぎ込むことで、粒状充填物の表面、そして容器本体の上面開口部から犬や猫などからなるキャラクタ、または、贈り手に対するメッセージが書かれている小さな看板などの浮上子が外部に浮上されてくる。
【０００８】
また、本考案では、多孔容器内に収容される水吸収膨張剤が、高分子吸収剤であることを特徴とし、さらに、前記浮上部材は、前記多孔容器の上壁面に内外貫通状で上昇動可能に取り付けられる浮上軸部と、この浮上軸部の下端側に備えられて前記水吸収膨張剤が膨張したときに、その膨張力を面で受ける受圧板と、を備えていることを特徴とする。
ここで、前記受圧板は、多孔容器の横断内面形状に沿う平面視形状に形成されていることが好適なものとなる。
【０００９】
このような構成によれば、前記したように、容器本体内に水が注ぎ込まれると、多孔容器内の高分子膨張剤が膨張する。つまり、浮上部材の下端側が、水の吸収によって確実に膨張する高分子膨張剤によって押される。このとき、浮上部材は、浮上軸部の下端側に備えられている受圧板が、高分子膨張剤の膨張力を面で受けることで、安定よく、より一層確実に押し上げ浮上されることとなる。
これにより、前記したように、粒状充填物の表面、そして容器本体の上面開口から犬や猫などからなるキャラクタ、または、贈り手に対するメッセージが書かれている小さな看板などの浮上子が外部に押し上げ浮上されて外部に露出される。
【００１０】
さらに、本考案では、前記容器本体内に収容される粒状充填物が、土壌であり、この土壌の中に球根類などが植え付けられていることを特徴とする。
ここで、前記土壌としては特に限定されるものではないが、例えば、花類や植物の種子や球根類などを育成するのに適したバーミキュライトを用いることが好適なものとなる。また、前記容器本体の下面部（底面部）には水抜け孔が設けられていることが好適なものとなる。
【００１１】
このような構成によれば、土壌の中に植え付けられている、例えば、チューリップなどの球根類が発芽し、観賞が可能な状態まで生育する間は、前記したように、水を注ぎ込むことで土壌の表面、そして容器本体の上面開口から外部に押し上げ浮上している浮上体の浮上子、例えば、キャラクタまたはメッセージが書かれている小さな看板によって楽しむことができる。しかも、チューリップなどが観賞可能な開花状態に至ったときには、キャラクタと開花したチューリップとの相乗効果により一層楽しむことができる。つまり、観賞効果をより一層引き出すことができる。
【考案の効果】
【００１２】
本考案の容器は、以上のように構成されていることで、容器本体内に水を注ぎ込むことで、粒状充填物の表面、そして容器本体の上面開口から浮上部材が外部に押し上げ浮上される。
これにより、浮上部材の上端側に備えられている浮上子が、例えば、各企業（各種団体を含む）やイベントの宣伝、或いは贈り手に対するメッセージが書かれている小さな看板である場合には、各企業やイベントなどにおける各種広告宣伝用と活用することができる。
また、浮上子が、贈り手に対するメッセージが書かれている小さな看板である場合には、母の日、誕生会、クリスマスなどにおけるメッセージ用伝達媒体（プレゼント用）として活用することができる。
【００１３】
また、チューリップ、ユリ、水仙などの球根類の栽培セット用として用いることで、観賞が可能な状態まで生育する間は、前記したように、水を注ぎ込むことで土壌の表面、そして容器本体の上面開口から外部に押し上げ浮上されてくる浮上部材の上端側に備えられているキャラクタまたはメッセージが書かれている小さな看板などの浮上子によって楽しむことができる。
これにより、例えば、一般家庭などにおいては、水を与えてもなかなか芽が出ないことに苛立つ子供が、好奇心などからチューリップなどの球根が植え付けられている容器本体の土壌を掘り起こすなどを防いで、チューリップなどを良好に育成させることができる栽培セット用の植生容器として活用することができる。
しかも、チューリップなどが観賞可能な開花状態に至ったときには、キャラクタなどとの相乗効果により一層楽しむことができ、なおかつ、チューリップなどの開花が終わるまでの間、継続的に楽しむことができる。
【考案を実施するための最良の形態】
【００１４】
以下、本考案の実施形態について、適宜図面を参照しながら詳細に説明する。
図１は、浮上体を収容している本実施形態に係る容器を示す概略斜視図であり、図２は、同概略縦断面図であり、図３は、浮上体の浮上子を容器本体内から外部に押し上げ浮上された状態を示す同概略縦断面図である。
【００１５】
容器Ａは、図１および図２に示すように、上面部に開口可能な上蓋４を有する容器本体１内に、粒状充填物２と、この粒状充填物２の中に没入される浮上体３とを収容している。
【００１６】
容器本体１は、例えば、スチール製、アルミ製などの缶タイプであり、上蓋４には摘み（プルトップ）５を備えている。これにより、摘み５を起こして上蓋４を容器本体１から切り離すことで、容器本体１の上面部を簡単に開口することができる。
また、容器本体１は、下面部（底面部）に水抜け孔６を備えている。これにより、容器本体１内に注ぎ込まれた水が粒状充填物２に浸透し、なおかつ、浮上体３の後記する多孔容器３−１内に流入されたのちの余水が外部に流出されるようにしている。
【００１７】
摘み５付きの上蓋４は、容器本体１とは別途に形成されて、図２および後記の図４に示すように、容器本体１の上面開口縁に嵌め合わせ装着された後に、カシメやその他の固着手段によって容器本体１に取り付けられる上蓋キャップ４−１に備えられている。
この上蓋キャップ４−１は、スチールやアルミなどによって形成されている。
【００１８】
粒状充填物２は、浸透性（通水性）を有する粒状物、例えば、バーミキュライト、そして川砂や海砂などの砂類、或いはプラスチックやガラスなどからなるビーズその他の人造粒状物からなり、図３に示すように、略満杯に近い状態で容器本体１内に収容される。
【００１９】
浮上体３は、容器本体１内に水が注ぎ込まれることで、図３に示すように、浮上部材３−２の上端側に備えられる後記する浮上子８を粒状充填物２の表面、そして開口された容器本体１の上面開口部７から外部に浮上されるように構成されている。
この浮上体３は、図１から図３に示すように、通水孔９を有する多孔容器３−１と、この多孔容器３−１に上昇動可能に装着される浮上部材３−２と、この浮上部材３−２の下端側と多孔容器１の内底部との間に収容される水吸収膨張剤３−３とを備えて構成されている。
【００２０】
多孔容器３−１は、容器本体１と同じスチール製、アルミ製、或いは合成樹脂製であり、図１および図２に示すように、その全体形状が、容器本体１内の粒状充填物２の中に完全に没入される程度の高さを有する略かまぼこ形状に形成されている。
なお、多孔容器３−１の高さ寸法は、浮上部材３−２の浮上ストロークを考慮した上で設定されるものである。つまり、水吸収膨張剤３−３が膨張したときに、押し上げ浮上される浮上部材３−２の上端側に備えられている浮上子８が、容器本体１の上面開口部７から外部に所定の高さに浮上される浮上部材３−２の浮上ストロークが得られる高さ寸法とする。
【００２１】
そして、この多孔容器３−１は、胴部および上壁部に通水孔９が設けられている。これにより、容器本体１内に注ぎ込まれて粒状充填物２を浸透さてくる水が多孔容器３−１内に流入されるようにしている。
なお、通水孔９の孔径は、粒状充填物２の粒径よりも小径とすることが好適なものとなる。
【００２２】
また、多孔容器３−１の上壁部の略中心部には、浮上部材３−２の後記する浮上軸部３−２ａを内外貫通状で上昇動可能に挿通させるための軸挿通孔１０が設けられている。
さらに、多孔容器３−１の底部には、閉鎖蓋部１１が設けられている。これにより、軸挿通孔８から浮上部材３−２の浮上軸部３−２ａを貫通させ、後記する受圧板３−２ｂを内設させ、さらに、所定分量の水吸収膨張剤３−３を収容させた後に閉鎖し得るようにしている。
【００２３】
浮上部材３−２は、浮上軸部３−２ａと、この浮上部材３−２ａの下端側に設けられる受圧板３−２ｂとを備えている。
浮上軸部３−２ａは、水吸収膨張剤３−３が膨張したときに、上端側に備えられる浮上子８を、粒状充填物２の表面、そして開口された容器本体１の上面開口部７から外部に浮上されることができる長さに形成されている。
【００２４】
受圧板３−２ｂは、水吸収膨張剤３−３が膨張したときに、その膨張力を面で受けて浮上軸部３−２ａに浮上力を伝達する役目と、浮上軸部３−２ａが垂直に上昇移動するようにガイドする役目をなすものであり、図１に示すように、多孔容器３−１の横断内周面形状に沿う平面視形状に形成されている。これにより、水吸収膨張剤３−３の膨張力を面全体で受けるようにしている。
【００２５】
水吸収膨張剤３−３は、所定の粒径を有する粒状の高分子膨張剤であり、図２に示すように、多孔容器３−１内における内底部と受圧板３−２ｂとの間に所定の分量にて収容される。
この水吸収膨張剤３−３の多孔容器３−１内への収容分量を適宜変えることで、容器本体１内に水が注ぎ込まれてから、浮上部材３−２によって浮上される浮上子８が、粒状充填物２の表面、そして開口された容器本体１の上面開口部７から外部に浮上されてくるまでの時間を適宜変えることができる。例えば、１時間から２時間の間で適宜調節することができる。
【００２６】
浮上子８は、各企業（各種団体を含む）やイベントの広告宣伝、或いは贈り手に対するメッセージが書かれている小さな看板、または、神社や仏閣のお土産で大吉、中吉などと表示されている小さな表示板、さらには、図１および図２に示すように、犬や猫その他のキャラクタであり、浮上軸部３−２ａの上端に備えられる。
この浮上子８は、浮上軸部３−２ａと別途に加工または成型した後で、浮上軸部３−２ａの上端に接着や溶着などによって後付することができるが、加工や成型によって浮上軸部３−２ａの上端に一体に備えることができる。
【００２７】
以上のように構成されている本実施形態に係る容器Ａによれば、摘み５にて上蓋４を容器本体１から切り離して容器本体１の上面開口部７を開口し、容器本体１内に水を注ぎ込む。注ぎ込まれた水が、粒状充填物２に浸透し、粒状充填物２の中に没入されている浮上体３の多孔容器３−１の周りへと流れ込んで通水孔９から多孔容器３−１内に流入することで、粒状の高分子膨張剤からなる水吸収膨張剤３−３が膨張する。
すると、水吸収膨張剤３−３の膨張力が受圧板３−２ｂの全面にかかり、受圧板３−２ｂは水吸収膨張剤３−３の膨張が進行するにともない徐々に押し上げられるとともに、浮上軸部３−２ａを押し上げ浮上させていく。このとき、浮上軸部３−２ａは、図３に示すように、受圧板３−２ｂが多孔容器３−１の上壁部に当接するまで押し上げ浮上される。
これにより、図３に示すように、浮上軸部３−３−２ａの上端側に備えられている犬や猫その他のキャラクタからなる浮上子８が、１時間から２時間くらいで、粒状充填物２の表面、そして開口された容器本体１の上面開口部７から外部に浮上される。
【００２８】
つぎに、このように構成されている本実施形態に係る容器Ａを、図４〜図６に示すチューリップＢなどの球根ｂの栽培セット用として使用するときの一例について簡単に説明する。
図４は、容器本体内に収容されている粒状充填物の中に球根を植え付けた状態を示す容器の縦断面図および平面図であり、図５は、浮上子を外部に浮上させた状態を示す同縦断面図であり、図６は、育成されたチューリップが開花に至った状態を示す同縦断面図である。
なお、この栽培セットにおいては、チューリップＢを育成するために粒状充填物２を土壌２−１に変え、なおかつ、図４に示すように、土壌２−１が容器本体１の下面部（底面部）に設けられている水抜け孔６から外部に流出（落下）するのを防ぐために、容器本体１の内底部側に流出防止層としてのフィルタ１２と通気性（流通性）を有する綿部材１３を備え、さらに、容器本体１の下面部には合成樹脂剤などからなるカバー１４を外嵌めにて脱着可能に備えている構成であり、これ以外の構成要素においては、前記の実施形態と基本的に同じことから同じ構成要素に同じ符合を付することで重複説明は省略する。
【００２９】
また、この栽培セットでは、粒状充填物２である土壌２−１として、球根類などを育成するのに適したバーミキュライトを使用し、このバーミキュライトは、熱処理で殺菌乾燥されている。そして、球根ｂは、冷凍保管した後に防カビおよび防虫処理されている。例えば、２〜１０℃で冷蔵保管した後のもので、防カビおよび防虫のために公知の手法により薬品処理されている。
【００３０】
なお、球根ｂとしては、チューリップの他に、ユリ、カタバミ、フリージア、カラー、カンナ、ダリア、スイセンなどを挙げることができる。
【００３１】
このように、本実施形態に係る容器Ａを栽培セットとして使用することで、前記したように、上蓋４を切り離すことで容器本体１の上面壁を開口し、その上面開口部７から容器本体１内に水を注ぎ込む。すると、球根ｂが発芽し、観賞が可能な状態までチューリップＢが順調に生育する間は、図５に示すように、土壌２−１の表面、そして開口された容器本体１の上面開口部７から外部に浮上されたキャラクタなどの浮上子８によって楽しむことができる。
そして、図６に示すように、チューリップＢが観賞可能な開花状態まで順調に生育したときには、浮上子８と開花したチューリップＢとの相乗効果により一層楽しむことができる。つまり、観賞効果をより一層引き出すことができる。
【００３２】
なお、本考案の実施形態の具体的な構成は、前記した実施形態に限られるものではなく、請求項１から請求項４に記載の本考案の要旨を逸脱しない範囲で設計変更などがあっても本考案に含まれるものである。
例えば、水吸収膨張剤３−３として、膨張するときの圧力に多少問題があるものの、水を吸収することで膨張する園芸用の培養土を使用することができる。
また、栽培セットして使用するときには、球根類に替えてマメ科などの種子を土壌２−１の中に植え付けることができる。
【図面の簡単な説明】
【００３３】
【図１】浮上体を収容している本実施形態に係る容器を示す概略斜視図である。
【図２】同容器の概略縦断面図である。
【図３】浮上体の浮上子を容器本体内から外部に押し上げ浮上された状態を示す同概略縦断面図である。
【図４】（ａ）は、容器本体内に収容されている粒状充填物の中に球根を植え付けた状態を示す本実施形態に係る容器の縦断面図であり、（ｂ）は、同容器の平面図である。
【図５】浮上子を外部に浮上させた状態を示す同容器の縦断面図である。
【図６】育成されたチューリップが開花に至った状態を示す同容器の縦断面図である。
【符号の説明】
【００３４】
Ａ      容器
１      容器本体
２      粒状充填物
２−１  土壌
３      浮上体
３−１  多孔容器
３−２  浮上部材
３−２ａ  浮上軸部
３−２ｂ  受圧板
３−３  水吸収膨張剤（粒状の高分子膨張剤）
４      上蓋
７      上面開口部
８      浮上子
９      通水孔
ｂ      球根
【図１】
0003141614.tif 000003
【図２】
0003141614.tif 000004
【図３】
0003141614.tif 000005
【図４】
0003141614.tif 000006
【図５】
0003141614.tif 000007
【図６】
0003141614.tif 000008